(57)【特許請求の範囲】
【請求項１】
アンテナ装置と、
このアンテナ装置が設けられた機器本体とを備えており、
前記アンテナ装置は、
回路基板と、
コアと、このコアが収納されたコアケース部と、このコアケース部に巻回されたコイルとをそれぞれ有するアンテナ構造体と、
前記回路基板に一体に形成され、前記アンテナ構造体を収納するアンテナケース部と、
を備えていることを特徴とする電子機器。
【請求項２】
アンテナ装置と、
このアンテナ装置が設けられた機器本体とを備えており、
前記アンテナ装置は、
回路基板と、
コアと、このコアに巻回されたコイルとを有するアンテナ構造体と、
前記回路基板に一体に形成され、前記アンテナ構造体を収納するアンテナケース部と、
を備えていることを特徴とする電子機器。
【請求項３】
アンテナ装置と、
このアンテナ装置が設けられた機器本体とを備えており、
前記アンテナ装置は、
回路基板と、
コアと、このコアに巻回されたコイルとを有するアンテナ構造体と、
前記回路基板に一体に形成された第１のアンテナケース部と、
この第１のアンテナケース部と接合された第２のアンテナケース部とを備え、
前記アンテナ構造体は、前記第１のアンテナケース部と前記第２のアンテナケース部とにより形成された空間内に収納されていることを特徴とする電子機器。
【請求項４】
コアをコアケース部に収納し、前記コアが収納されたコアケース部にコイルを巻回してアンテナ構造体を形成するアンテナ形成工程と、
このアンテナ形成工程により形成されたアンテナ構造体を、回路基板に形成されたアンテナケース部に収納するケース収納工程と、
このケース収納工程によりアンテナ構造体がアンテナケース部に収納されてなるアンテナ装置を機器本体に搭載するアンテナ装置搭載工程と、
を備えていることを特徴とする電子機器の製造方法。
【請求項５】
コアにコイルを巻回してアンテナ構造体を形成するアンテナ形成工程と、
このアンテナ形成工程により形成されたアンテナ構造体を、回路基板と形成されたアンテナケース部に収納するケース収納工程と、
このケース収納工程によりアンテナ構造体がアンテナケース部に収納されてなるアンテナ装置を機器本体に搭載するアンテナ装置搭載工程と、
を備えていることを特徴とする電子機器の製造方法。
【請求項６】
コアにコイルを巻回してアンテナ構造体を形成するアンテナ形成工程と、
このアンテナ形成工程により形成されたアンテナ構造体を、回路基板に形成された第１のアンテナケース部と第１のアンテナケース部と接合された第２のアンテナケース部とにより形成された空間内に収納するケース収納工程と、
このケース収納工程によりアンテナ構造体がアンテナケース部の空間内に収納されてなるアンテナ装置を機器本体に搭載するアンテナ装置搭載工程と、
を備えていることを特徴とする電子機器の製造方法。
【発明の詳細な説明】
【技術分野】
【０００１】
本発明は、電子機器及び電子機器の製造方法に関する。
【背景技術】
【０００２】
従来、時刻情報を含む標準電波を受信して自動的に現在時刻を修正する電波時計等の電子機器が知られている。電波時計において標準電波を受信するアンテナとしては、受信感度のよい磁性材料であるアモルファス金属やフェライト等からなるコアにコイルが巻回されてなるアンテナ構造体が多く用いられている。
【０００３】
このようなアンテナ構造体をアンテナケースの中に収納した上で電子機器の中に搭載する技術が知られている（例えば、特許文献１参照）。
【先行技術文献】
【特許文献】
【０００４】
【特許文献１】特開２００６−１５７２９５号公報
【発明の概要】
【発明が解決しようとする課題】
【０００５】
ところで、腕時計型の電波時計の場合には、限られた小さな内容積に各種部品を収納する必要があるため、できるだけ小型化・薄型化を図る必要がある。
この点、特許文献１に記載されているように、他の部品とは別体のケースにアンテナ構造体を収納した上で、そのケースを後から腕時計等の電子機器に組み込むこととすると、ケースの分だけ厚みが必要となり、電子機器が大型化してしまうとの問題がある。
【０００６】
また、他の部品とは別体のケースにアンテナ構造体を収納すると、その分、部品点数が多くなり、組み立て工数が増加して生産性が低下するとの問題もあった。
【０００７】
そこで、本発明は、上記課題を解決するために為されたものであり、部品点数が少なく、小型化・薄型化を実現することのできる電子機器及び電子機器の製造方法を提供することを目的としている。
【課題を解決するための手段】
【０００８】
このような問題を解決するため、この発明は、次のような構成を備えている。
【００１０】
請求項１に記載の発明に係る電子機器は、
アンテナ装置と、
このアンテナ装置が設けられた機器本体とを備えており、
前記アンテナ装置は、
回路基板と、
コアと、このコアが収納されたコアケース部と、このコアケース部に巻回されたコイルとをそれぞれ有するアンテナ構造体と、
前記回路基板に一体に形成され、前記アンテナ構造体を収納するアンテナケース部と、
を備えていることを特徴とする。
【００１１】
請求項２に記載の発明に係る電子機器は、
アンテナ装置と、
このアンテナ装置が設けられた機器本体とを備えており、
前記アンテナ装置は、
回路基板と、
コアと、このコアに巻回されたコイルとを有するアンテナ構造体と、
前記回路基板に一体に形成され、前記アンテナ構造体を収納するアンテナケース部と、
を備えていることを特徴とする。
【００１２】
請求項３に記載の発明に係る電子機器は、
アンテナ装置と、
このアンテナ装置が設けられた機器本体とを備えており、
前記アンテナ装置は、
回路基板と、
コアと、このコアに巻回されたコイルとを有するアンテナ構造体と、
前記回路基板に一体に形成された第１のアンテナケース部と、
この第１のアンテナケース部と接合された第２のアンテナケース部とを備え、
前記アンテナ構造体は、前記第１のアンテナケース部と前記第２のアンテナケース部とにより形成された空間内に収納されていることを特徴とする。
【００１７】
請求項４に記載の発明に係る電子機器の製造方法は、
コアをコアケース部に収納し、前記コアが収納されたコアケース部にコイルを巻回してアンテナ構造体を形成するアンテナ形成工程と、
このアンテナ形成工程により形成されたアンテナ構造体を、回路基板に形成されたアンテナケース部に収納するケース収納工程と、
このケース収納工程によりアンテナ構造体がアンテナケース部に収納されてなるアンテナ装置を機器本体に搭載するアンテナ装置搭載工程と、
を備えていることを特徴とする。
【００１８】
請求項５に記載の発明に係る電子機器の製造方法は、
コアにコイルを巻回してアンテナ構造体を形成するアンテナ形成工程と、
このアンテナ形成工程により形成されたアンテナ構造体を、回路基板と形成されたアンテナケース部に収納するケース収納工程と、
このケース収納工程によりアンテナ構造体がアンテナケース部に収納されてなるアンテナ装置を機器本体に搭載するアンテナ装置搭載工程と、
を備えていることを特徴とする。
【００１９】
請求項６に記載の発明に係る電子機器の製造方法は、
コアにコイルを巻回してアンテナ構造体を形成するアンテナ形成工程と、
このアンテナ形成工程により形成されたアンテナ構造体を、回路基板に形成された第１のアンテナケース部と第１のアンテナケース部と接合された第２のアンテナケース部とにより形成された空間内に収納するケース収納工程と、
このケース収納工程によりアンテナ構造体がアンテナケース部の空間内に収納されてなるアンテナ装置を機器本体に搭載するアンテナ装置搭載工程と、
を備えていることを特徴とする。
【発明の効果】
【００２２】
本発明によれば、アンテナ構造体と回路基板とを用いてアンテナ装置を製造し、更に、この製造されたアンテナ装置と機器本体とを用いて電子機器を製造することができるので、これら部品同士の位置合わせを高精度に行いながら迅速かつ確実に電子機器を製造することができる。
さらに、本発明によれば、アンテナ構造体と回路基板とを用いてアンテナ装置を構成し、このアンテナ装置と機器本体とを用いて電子機器を構成することができるので、これら部品同士の位置合わせを高精度に行うことができるばかりでなく、これら部品同士の組み立てを迅速かつ確実に行うことができる。そればかりでなく、アンテナ装置と回路基板とを一体化する構成としているので、その分、部品点数の削減を図ることができるばかりでなく、電子機器全体の小型、薄型化を図ることができる。
【図面の簡単な説明】
【００２３】
【図１】本発明の第１の実施形態のアンテナ装置を備えた電子機器の一例を表す腕時計の概略構成を示す正面図である。
【図２】図１のＩ−Ｉ線断面図である。
【図３】図１の腕時計の分解斜視図である。
【図４】時計ケース内に収納された回路基板を視認側から見た平面図である。
【図５】（Ａ）は、図４のアンテナケース部周辺の拡大図であり、（Ｂ）は、（Ａ）のII−II線断面図である。
【図６】（Ａ）および（Ｂ）は、本発明の第１の実施形態のアンテナ装置を構成する各部材を示した分解斜視図であり、（Ａ）は、アンテナ構造体を組み立てる前の状態を示す斜視図である。（Ｂ）は、アンテナ構造体を組み立てた後の状態を示す斜視図である。
【図７】本発明の第１の実施形態のアンテナ装置の組み立て工程を示す斜視図である。
【図８】本発明の第２の実施形態のアンテナ装置の組み立て工程を示す斜視図である。
【図９】本発明の第３の実施形態のアンテナ装置を備えた電子機器の要部断面図である。
【図１０】（Ａ）および（Ｂ）は、本発明の第３の実施形態のアンテナ装置の組み立て工程を示す斜視図である。（Ａ）は、アンテナ構造体をアンテナケース部に組み付ける前の状態を示す斜視図である。（Ｂ）は、アンテナケース部に組み付けたアンテナ構造体を、回路基板に組み付けた後の状態を示す斜視図である。
【図１１】本発明の第４の実施形態のアンテナ装置を備えた電子機器の要部断面図である。
【発明を実施するための形態】
【００２４】
以下、図面を参照して、本発明の好適な実施形態について説明する。尚、以下では、本発明を、電子機器としての腕時計型の電波時計に適用した場合について説明するが、本発明を適用可能な実施形態がこれに限定されるものではない。
【００２５】
［第１実施形態］
先ず、図１から図７を参照しつつ、本発明の第１実施形態について説明する。
【００２６】
図１は、本実施形態における電子機器である腕時計１００の正面図である。また、図２は、図１のＩ−Ｉ線断面図であり、図３は、図１に示す腕時計１００の分解斜視図である。
また、図４は、時計ケース内に収納された回路基板を視認側から見た平面図である。また、図５（Ａ）は、図４のアンテナケース部の拡大図であり、図５（Ｂ）は、図５（Ａ）のII−II線断面図である。また、図６（Ａ）および図６（Ｂ）は、本発明の第１の実施形態のアンテナ装置を構成する各部材を示した分解斜視図である。また、図７は、本発明の第１の実施形態のアンテナ装置の組み立て工程を示す斜視図である。
本実施形態において腕時計１００は、標準電波を受信するアンテナ構造体５を備えたアンテナ装置１０により受信した標準電波を増幅変調してタイムコードを解読することにより現在時刻を修正する電波腕時計である。
【００２７】
図１から図３に示すように、腕時計１００は、文字板１と、内部に時計モジュールを構成する各部品を収納するモジュールハウジング３と、時計モジュール等の各種電子部品と接続される回路基板４と、この文字板１、モジュールハウジング３及び回路基板４が収納された時計ケース２と、この時計ケース２の裏面側（図２の下側）に取り付けられた裏蓋４０とを備えている。
【００２８】
時計ケース２は、ステンレスやチタン等の強度の強い金属によって、上下面に開口した平面視ほぼ円形の環状に形成されている。また、時計ケース２の図１における上下両端部、つまり時計の１２時方向側端部及び６時方向側端部には、外部側方に延出した延出部２１が形成されており（図２参照）、この延出部２１には、これをユーザの腕に装着するためのバンド部材２２が取り付けられる。また、時計ケース２の外周部には、時刻合わせの指示などの種々の操作指示が入力される複数の操作ボタン２３が設けられている。
【００２９】
時計ケース２の上面中央部（視認側）には、時計ガラス２４がリング状のパッキン２５（図２参照）を介して装着されている。また、時計ケース２の内部であって時計ガラス２４の下方には、時計ケース２の内周に沿って見切部材２６が配置されている。
【００３０】
時計ケース２の下端部には、環状のリング溝２７が形成されており、このリング溝２７には、防水リング２８が配置されている。防水リング２８は、合成樹脂やゴム等の弾性を有する材料によってリング状に形成されており、リング溝２７内に配置された状態で裏蓋４０の内面に圧接するように構成されている。
【００３１】
裏蓋４０は、時計ケース２と同様、例えばステンレスやチタン等の強度の高い金属により、全体の厚みが薄いほぼ平板状に形成されている。裏蓋４０は、前記防水リング２８を介して時計ケース２に取り付けられており、防水リング２８が時計ケース２と裏蓋４０との間で圧縮されることにより、時計ケース２内の気密性が確保される。
【００３２】
時計ケース２内に収納されるモジュールハウジング３は、例えば樹脂等で形成されており、モジュールハウジング３には、例えば、時針や秒針等の指針３５を文字板１上で運針させるための運針機構（図示せず）等を動作させるための各種電子部品等で構成されている時計モジュールが収納されている。
【００３３】
モジュールハウジング３と時計ガラス２４との間には、ほぼ円形の薄板状に形成された文字板１が配置されている。文字板１の表面(視認側：図２の上側)の周縁部は、中央部に比べて厚さの厚い時字部１１となっており、時字部１１には、時字１２が、円周方向にほぼ等間隔で１２箇所に刻印、印刷等により設けられている。
【００３４】
文字板１の中央部には軸孔１３が形成されており、軸孔１３には、時計モジュールの運針機構に設けられた指針軸３４が文字板１の裏面側（図２及び図３の下側）から時計ガラス２４の方向（図２及び図３の上側）に向けて貫通している。指針軸３４には、時針や分針等の指針３５が取り付けられている。指針３５は、前述の運針機構によって文字板１の上方で運針するようになっており、この指針３５によって文字板１上の時字１２が指示されることによって、現在の時刻を知ることができるようになっている。
【００３５】
モジュールハウジング３の裏面（図２の下側の面）であってモジュールハウジング３を時計ケース２内に収納したときに１２時側に配置される位置には、後述する回路基板４のアンテナケース部４３が収納されるケース収納スペース３１が形成されている。
【００３６】
時計ケース２であってモジュールハウジング３よりも下方（図２の下側）には、時計モジュールを構成する電子部品が接続されるとともに各種回路を有するＩＣチップが実装される回路基板４が配置されている。
【００３７】
ＩＣチップが有する回路要素としては、例えば、腕時計１００の各部を制御するＣＰＵ等の制御ＩＣ、後述するアンテナ構造体５によって検出された電気信号を増幅・復調して標準電波に含まれる時刻データを取り出す受信回路部４１（図４参照）、発振器を有して現在時刻を計時する計時回路等がある。
【００３８】
図４は、時計ケース２内に収納された回路基板４を視認側（図２の上側）から見た平面図である。なお、図４において、文字板１、時計ガラス２４等の図示は省略している。
図４に示すように、受信回路部４１は、回路基板４の視認側の面に搭載されており、同じく回路基板４の視認側の面に設けられているアンテナ接続電極４２と接続されている。後述するように、アンテナ接続電極４２にはアンテナ構造体５が電気的に接続されており、これによりアンテナ構造体５によって受信された電波がアンテナ接続電極４２を介して受信回路部４１に送られるようになっている。
【００３９】
回路基板４の視認側の面（図２の上側の面）であって、回路基板４を時計ケース２内に収納したときに１２時側に配置される位置には、アンテナ構造体５を保持または収納するアンテナ保持部としてのアンテナケース部４３が一体に形成されている。本実施形態においては、アンテナ構造体５とアンテナケース部４３を備える回路基板４とによってアンテナ装置５０が構成されている。
【００４０】
ここで、図５を参照しつつ、アンテナ構造体５及び回路基板４とから成るアンテナ装置５０の構成について詳細に説明する。
図５（Ａ）は、図４に示すアンテナケース部４３の拡大図であり、図５（Ｂ）は、図５（Ａ）のII−II断面図である。
【００４１】
本発明のアンテナ構造体５は、図４に示すように、環状の時計ケース２の内周面に沿う形状に形成されている。アンテナ構造体５は、図５（Ａ）に破線で示すコア５１と、樹脂等で形成されコア５１を収納するコアケース部５２と、コアケース部５２の上からコア５１に巻回されるコイル５３と、から構成されているものである。
コア５１は、アモルファス金属等の比透磁率が高く、導電率が小さい磁性材料からなる複数の板状部材を積層して形成されている。板状部材としては、アモルファス合金、Fe-Cu-Nb-Si-B系等のナノ結晶磁性合金、Fe-Si系磁性合金等の軟磁性金属箔帯を板厚20μｍ以下に薄く形成して用いているが、これに限られない。
図５（Ａ）に示すように、コア５１のほぼ中央部は、コイル５３が巻回されるコイル巻回部である幅狭の直状部５５となっており、コア５１の両端部にはコア５１の幅方向に大きく延出する延出部５６が形成されている。各延出部５６は、一方側の端縁が時計ケース２の内周面に沿う形状に形成されており、アンテナ構造体５を時計ケース２内に収納したときにアンテナ構造体５が時計ケース２の内周面に沿って配置され、時計ケース２とアンテナ構造体５との間に必要以上の隙間が生じないようになっている。
【００４２】
上述のようなコア５１を収納するコアケース部５２は、ほぼ中央部が幅狭で直状に形成されコイル５３を巻回する巻き線部５７となっており、巻き線部５７の両端にはこの巻き線部５７より幅広に形成され延出部５６を保持する延出部保持部５８が設けられている。
延出部保持部５８は延出部５６の基端側の形状に沿う形状に形成されており、コアケース部５２にコア５１を収納した際に、コア５１の延出部５６の基端側が延出部保持部５８によって被覆されるとともに、延出部５６の端部が延出部保持部５８から露出するようになっている。
【００４３】
コアケース部５２内にコア５１を収納した後、巻き線部５７には、コイル５３がほぼ均一の厚さとなるように巻回される。コイル５３の端部５４は、回路基板４上に形成されたアンテナ接続電極４２に接続される。
【００４４】
このようにして形成されたアンテナ構造体５は、標準電波による磁界中に置かれると、この磁界による磁束が周囲空間よりも比透磁率が高いコア５１に集中してコイル５３に鎖交し、コイル５３には、コイル５３内部での磁束変化を妨げる向きに反磁界（磁束）を発生させるように誘導起電力が生じる。前記受信回路部４１は、コイル５３に生じた誘導起電力を検出する。
【００４５】
次に、回路基板４に設けられているアンテナケース部４３は、コアケース部５２の延出部保持部５８及びコア５１の延出部５６を収納する延出部収納部４４とコイル５３を収納する巻き線収納部４５とを有している。
【００４６】
巻き線収納部４５は、アンテナ構造体５を収納した際にコイル５３の巻回部分に対応する位置に設けられており、アンテナ構造体５をアンテナケース部４３に収納したときにコイル５３に対応する部分の回路基板４を掘り下げて設けられた空間である。図５（Ｂ）に示すように、巻き線収納部４５は、巻き線部５７にコイル５３を巻回することによりコアケース部５２の他の部分よりも厚くなったコイル５３の厚み分だけ回路基板４の視認側（図２の上側）が掘り下げられている。
【００４７】
延出部収納部４４は、巻き線収納部４５の両側に位置し、コアケース部５２の延出部保持部５８及び延出部保持部５８から露出するコア５１の延出部５６の端部の外周よりもわずかに大きく形成されている。コアケース部５２の延出部保持部５８及びコア５１の延出部５６の形状に沿うようにほぼ垂直方向に立設された側壁部１８を有しており、この側壁部１８内に延出部保持部５８及び延出部５６が収納されるようになっている。
【００４８】
また、時計ケース２の内部には、モジュールハウジング３及び回路基板４を支持する枠部材３３が設けられている。枠部材３３は、例えば合成樹脂により形成されており、厚みの薄い円形状の底部と、この底部の周辺部に沿った側部とから成る。枠部材３３の内径は、モジュールハウジング３の外径よりもわずかに大きい寸法となっており、枠部材３３は、腕時計１００の裏面側（図２の下側）からモジュールハウジング３を支持するとともに、モジュールハウジング３内に収納されている各種電子部品及び回路基板４を他の構成要素との干渉から保護している。
【００４９】
図６及び図７を参照しつつ、本実施形態におけるアンテナ装置５０の製造方法について説明する。
図６（Ａ）は、アンテナ装置５０を構成する各部材を示した分解斜視図であり、図６（Ｂ）は、アンテナ構造体５の構成を示す斜視図である。図７は、アンテナ構造体５を回路基板４のアンテナケース部４３に組み付けるアンテナ収納工程を示す図である。この図６および図７は回路基板４等を腕時計１００の裏面側から見た図である。
【００５０】
まず、複数の板状部材を積層してコア５１を形成し、このコア５１を延出部５６の形状がコアケース部５２の延出部保持部５８の形状に合致する向きでコアケース部５２に収納する。その後、コアケース部５２の巻き線部５７にコイル５３をほぼ均一の厚みとなるように巻回してアンテナ構造体５を形成する。この工程をアンテナ形成工程という。
【００５１】
そして、アンテナ構造体５を、コイル５３が巻き線収納部４５に対応し延出部保持部５８及び延出部５６が延出部収納部４４に対応するようにアンテナケース部４３に収納し（この工程をアンテナ収納工程という。）、アンテナ装置５０が完成する。なお、コイル５３の端部５４は、回路基板４のアンテナ接続電極４２に接続される。
アンテナ装置５０が完成すると、アンテナケース部４３が腕時計１００の文字板１の１２時の位置に対応する向きで回路基板４をモジュールハウジング３の下方に配置する。これにより、モジュールハウジング３、回路基板を時計ケース２内に組み込んだときに、アンテナケース部４３がモジュールハウジング３のケース収納スペース３１内に収納されるようになっている。
【００５２】
次に、本実施形態の作用について説明する。
アンテナ接続電極４２を介して回路基板４上の受信回路部４１と接続されたアンテナ構造体５を、回路基板４と一体に形成されたアンテナケース部４３に収納してアンテナ装置５０を構成し、このアンテナ装置５０により標準電波を受信する。そして、アンテナ装置５０により受信された電波がアンテナ接続電極４２を介して受信回路部４１に送られ、この電波に基づいて腕時計１００の現在時刻データが修正される。
【００５３】
以上のように、本実施形態によれば、回路基板４と一体に形成されたアンテナケース部４３にアンテナ構造体５を収納することによりアンテナ装置５０を構成しているので、アンテナ装置５０を構成するケースを別途設ける必要がない。このため、部品点数を削減することができるとともに、部品の組み付け工程を簡易化することができる。
また、このようにアンテナ装置５０を構成する部品の数を少なくすることにより部品の管理が簡単になるとともに、部品の組み付けの際にも部品同士の位置決めを簡易かつ確実に行うことができる。これにより、生産効率を向上させ、安価な装置を実現することができる。
【００５４】
また、アンテナ装置５０を構成するアンテナケース部４３が回路基板４と一体化されているため、別途ケースを用いてアンテナ装置を構成する場合と比べて、部材の重なり合いを少なくすることができ、アンテナ装置５０を設けるスペースを小さくすることができる。これにより、アンテナ装置５０を組み込む腕時計１００の小型化、薄型化を実現することが可能となる。
【００５５】
なお、本実施形態においては、アンテナ装置５０を腕時計１００に搭載する例について説明したが、アンテナ装置５０を搭載する電子機器は腕時計に限定されない。例えばアンテナ装置５０を携帯電話機や携帯型のラジオ等、小型化・薄型化が要請される各種電子機器に搭載してもよい。
【００５６】
また、アンテナ構造体５の形状は、本実施形態に示したものに限定されない。ここで例示したものと異なる形状のアンテナ構造体を用いる場合には、アンテナ構造体を収納するアンテナケース部もアンテナの形状に対応する形状に形成する。
【００５７】
その他、本発明が上記実施の形態に限らず適宜変更可能であるのは勿論である。
【００５８】
［第２の実施の形態］
次に、図８を参照しつつ、本発明に係るアンテナ装置及びこれを搭載する電子機器の第２の実施形態について説明する。この図８は回路基板４等を腕時計１００の裏面側から見た図である。なお、第２の実施形態は、アンテナ装置を構成するアンテナ構造体の構成が第１の実施形態と異なるものであるので、以下においては、第１の実施形態と異なる点について説明する。
【００５９】
本実施形態におけるアンテナ構造体６は、第１の実施形態と同様に、コア６１と、このコア６１に巻回されたコイル６３とから構成されているものである。
【００６０】
コア６１は、第１の実施形態と同様に、コイル６３が巻回される幅狭の直状部６５と、この直状部６５の両端部にコア６１の幅方向に大きく延出する延出部６６とを備えており、例えばフェライト等の比透磁率が高く導電率が小さい磁性材料により一体的に形成されている。
【００６１】
また、回路基板４の視認側の面（図２の上側の面）には、第１の実施形態と同様に、巻き線収納部４５と延出部収納部４４とを有するアンテナケース部４３が回路基板４と一体に形成されている。
本実施形態においては、アンテナ構造体６と回路基板４とによりアンテナ装置６０が構成されている。回路基板４には、腕時計の各種電子部品と接続されるとともに、受信回路部（図示せず）等の各種ＩＣチップが実装されている。
【００６２】
なお、その他の構成は、第１の実施形態に示したものと同様であるので、同一部材には同一符号を付してその説明を省略する。
【００６３】
次に、本実施形態におけるアンテナ装置６０の製造方法について説明する。
【００６４】
まず、コア６１の直状部６５にコイル６３をほぼ均一の厚みとなるように巻回して、アンテナ構造体６を形成する。この工程をアンテナ形成工程という。
【００６５】
さらに、アンテナ構造体６を、直状部６５に巻回されたコイル６３が巻き線収納部４５に対応し延出部６６が延出部収納部４４に対応するようにアンテナケース部４３に収納し（この工程をアンテナ収納工程という。）、アンテナ装置６０が完成する。なお、コイル６３の端部は、回路基板４のアンテナ接続電極（図示せず）に接続される。
【００６６】
以上のように、本実施形態によれば、コア６１の全体がフェライト等により一体に形成されているため、このコア６１を収納するためのコアケース部を特別に設ける必要がなく、アンテナ構造体６をコア６１とコイル６３とから構成することができる。このため、コアケース部を設ける必要がない分、部品点数をさらに削減することができ、組み付け工数を減らして生産効率を向上させることができるとともに、部品管理の簡易化、アンテナ装置６０及びこれを搭載する電子機器の小型化・薄型化を実現することができる。
【００６７】
なお、本発明が上記実施の形態に限らず適宜変更可能であるのは、第１の実施形態と同様である。
【００６８】
［第３の実施の形態］
次に、図９及び図１０を参照しつつ、本発明に係るアンテナ装置及びこれを搭載した電子機器の第３の実施形態について説明する。なお、第３の実施形態は、アンテナ装置の構成が第１の実施形態及び第２の実施形態と異なるものであるので、以下においては、第１の実施形態及び第２の実施形態と異なる点について説明する。
【００６９】
本実施形態におけるアンテナ構造体７は、第１の実施形態と同様に、コア７１と、コアケース部７２と、コア７１に巻回されるコイル７３と、を備えて構成されている。
【００７０】
図１０（Ａ）及び（Ｂ）に示すように、コア７１は、直状部７１ａと直状部７１ａの両端部に設けられた延出部７１ｂとから構成されている。延出部７１ｂは、一方の側面が図示しない時計ケースの内周面に沿うようにほぼ円弧状に湾曲し、一方の側面は直状部７１ａと平行するように直線的に形成されている。
【００７１】
また、コアケース部７２は、ほぼ中央部が幅狭で直状に形成されコイル７３を巻回する巻き線部７４となっており、巻き線部７４の両端にはこの巻き線部７４より幅広に形成されコア７１の延出部７１ｂを保持する延出部保持部７５が設けられている。
【００７２】
コアケース部７２内にコア７１を収納した後、巻き線部７４には、コイル７３がほぼ均一の厚さとなるように巻回される。各延出部保持部７５の端部には、コイル７３の端部７３ａを引き出すための引出し孔７６が形成されている。コイル７３の端部７３ａは、この引出し孔７６からコアケース部７２の外部に引き出されて、後述する回路基板８０上に形成されたアンテナ接続電極８２に接続される。
【００７３】
また、各延出部保持部７５の端部には、回路基板８０と機械的に接続される嵌合部７７が一体に設けられている。各嵌合部７７は、後述する回路基板８０の被嵌合部８５の厚みよりもわずかに大きい幅でほぼ水平に切り欠かれたスリット７８を主体として形成されている。また、各嵌合部７７の底面には、ねじ孔７９が形成されている。コアケース部７２は、嵌合部７７に回路基板８０の被嵌合部８５を嵌合し、ねじ９をねじ孔７９に挿入してねじ止めすることにより回路基板８０と機械的に接続されるようになっている。
【００７４】
また、アンテナ装置７０が搭載される電子機器である腕時計（図示せず）は、第１の実施形態及び第２の実施形態と同様に、腕時計の各種電子部品と接続されるとともに、受信回路部８１等の各種ＩＣチップを実装する回路基板８０を備えている。
【００７５】
回路基板８０の一端側であって、回路基板８０を時計ケース２内に収納したときに１２時側に配置される側は、直線的に切り欠かれており、切り欠きの設けられている側の端部（切り欠き側端部８３）には、コアケース部７２の嵌合部７７と嵌合する被嵌合部８５がコアケース部７２の嵌合部７７と対応する位置に２箇所設けられている。被嵌合部８５は、他の部分よりも厚みが薄くなっており、嵌合部７７のねじ孔７９に対応する位置にねじ孔８６が形成されている。
【００７６】
また、回路基板８０には、コアケース部７２と嵌合した際に、アンテナ構造体７のコイル７３から引き出されたコイル７３の端部７３ａの近傍となるような位置に、コイル７３の端部７３ａを接続するアンテナ接続電極８２が形成されている。コイル７３の端部７３ａが、半田Ｈ、Ｈを介して、このアンテナ接続電極８２に接続されることにより、アンテナ構造体７と回路基板８０とが電気的に接続されるようなっている。
【００７７】
なお、その他の構成は、第１の実施形態及び第２の実施形態に示したものと同様であるので、同一部材には同一符号を付してその説明を省略する。
【００７８】
次に、本実施形態におけるアンテナ装置７０の製造方法について説明する。
図１０（Ａ）は、アンテナ装置７０を構成する各部材を示した分解斜視図であり、図１０（Ｂ）は、アンテナ構造体７を回路基板８０に組み付けた状態を示す図である。
【００７９】
まず、複数の板状部材を積層してコア７１形成し、このコア７１を延出部７１ｂの形状がコアケース部７２の延出部保持部７５の形状に合致する向きでコアケース部７２に収納する。その後、コアケース部７２の巻き線部７４にコイル７３をほぼ均一の厚みとなるように巻回し、アンテナ構造体７が形成される。この工程をアンテナ形成工程という。
【００８０】
次に、コアケース部７２の嵌合部７７に回路基板８０の被嵌合部８５を嵌合させ、ねじ９をねじ孔７９，８６に貫通させて、コアケース部７２の嵌合部７７と回路基板８０の被嵌合部８５とをねじ止めする。この工程をアンテナ接続工程（嵌合工程）という。これにより、アンテナ構造体７と回路基板８０とが機械的に接続される。
【００８１】
さらに、コイル７３の端部７３ａを、引出し孔７６からコアケース部７２の外部に引き出して、回路基板８０のアンテナ接続電極８２に接続する。これにより、アンテナ構造体７と回路基板８０とが電気的に接続される。
【００８２】
以上のように、本実施形態によれば、アンテナ構造体７の側に設けられた嵌合部７７と回路基板８０に設けられた被嵌合部８５とを嵌合させることによりアンテナ構造体７を回路基板８０に固定して、この状態のまま時計ケース等、電子機器のケース内に搭載することができる。これにより、アンテナ構造体７を収納するケースを別途設ける必要がなく、部品点数を削減し、組み付け工数も少なくなるため、生産効率を向上させることができる。
【００８３】
なお、本実施形態においては、回路基板８０の端部に突出して形成した被嵌合部８５を嵌合部７７のスリット７８内に嵌合させてねじ９によりねじ止めすることにより固定する構成としたが、嵌合部７７及び被嵌合部８５の形状や固定の仕方等はここに例示したものに限定されない。例えば、回路基板８０の端部に形成した凹状の被嵌合部内に、コアケース部７２に突出形成した嵌合部７７を嵌合させることにより固定する構成としても良い。
【００８４】
また、本実施形態においては、アンテナ構造体７は第１実施形態に示したものと同様に、複数の板状部材を積層してコア７１を備えるものとしたが、コア７１はこのような構成のものに限定されず、例えば、第２の実施形態に示したようにフェライト等により一体形成されたコアを備え、コアケースを備えない構成としてもよい。この場合には、例えば、このコアを、嵌合部を備えるケースに収納して回路基板８０と嵌合させる。
【００８５】
また、本実施形態においては、コアケース部７２に回路基板８０と嵌合する嵌合部７７を設けて、アンテナ構造体７と回路基板８０とを機械的に接続する構成としたが、アンテナ構造体７と回路基板８０とを接続する構成はここに例示したものに限定されない。例えば、上述のように、コアに直接コイルを巻回してアンテナ構造体を形成する場合には、コアの両端部に回路基板と嵌合する第１の嵌合部を形成し、他方、回路基板に前記第１の嵌合部と嵌合される第２の嵌合部を形成し、これら第１の嵌合部と第２の嵌合部とを互いに嵌合させ、この嵌合を介して、アンテナ構造体と回路基板とを機械的に接続する構成としてもよい。
【００８６】
その他、本発明が上記実施の形態に限らず適宜変更可能であるのは、第１の実施形態及び第２の実施形態と同様である。
【００８７】
［第４の実施の形態］
次に、図１１を参照しつつ、本発明に係るアンテナ装置及びこれを搭載した電子機器の第４の実施形態について説明する。なお、第４の実施形態は、アンテナ装置の構成が第１の実施形態から第３の実施形態と異なるものであるので、以下においては、第１の実施形態から第３の実施形態と異なる点について説明する。
【００８８】
本実施形態において、電子機器としての腕時計（図示せず）は、電波を受信するアンテナ構造体５と、装飾板としての文字板９０と、回路基板９６とを備えている。
【００８９】
本実施形態におけるアンテナ構造体５は、第１の実施形態等と同様に、コア５１と、コアケース部５２と、コア５１に巻回されるコイル５３と、を備えて構成されている。アンテナ構造体５の構成は、第１の実施形態に示したものと同様であるので、その説明を省略する。
【００９０】
文字板９０の視認側とは反対側の面（図１１の裏面側）であって、文字板９０を時計ケース内に収納したときに１２時の位置に配置される側には、文字板側ケース部９１（第２のアンテナケース部）が一体に形成されている。図１１に示すように、文字板側ケース部９１は、アンテナ構造体５の厚みのほぼ半分程度の高さの側壁部９２を備えている。
また、文字板９０は、第１の実施形態等と同様に指針軸３４が貫通する軸孔９３、時字９４が施された時字部９５を備えている。
【００９１】
回路基板９６は、文字板９０の視認側とは反対側の面に対向して配置されており、回路基板９６の文字板９０と対向する側の面であって文字板側ケース部９１に対応する位置には、基板側ケース部９７（第１のアンテナケース部）が回路基板９６に一体に形成されている。基板側ケース部９７は、文字板側ケース部９１と同様にアンテナ構造体５の厚みのほぼ半分程度の高さの側壁部９８を備えている。
【００９２】
文字板９０と回路基板９６とを対向配置すると、文字板側ケース部９１と基板側ケース部９７とによりアンテナ収納スペース９９が形成されるようになっており、アンテナ構造体５は、文字板側ケース部９１と基板側ケース部９７とにより形成されたこのアンテナ収納スペース９９内に収納されている。
本実施形態においては、アンテナ構造体５と文字板側ケース部９１を備える文字板９０と基板側ケース部９７を備える回路基板９６とによってアンテナ装置１１０が構成されている。
また、回路基板９６は、図２等に示す第１の実施形態等と同様に、コイル５３の端部が接続されるアンテナ接続電極及び受信回路部等（いずれも図示せず）を備えている。
【００９３】
なお、その他の構成は、第１の実施形態に示したものと同様であるので、同一部材には同一符号を付してその説明を省略する。
【００９４】
次に、本実施形態におけるアンテナ装置１１０の製造方法について説明する。
【００９５】
まず、複数の板状部材を積層してコア５１形成し、このコア５１を延出部（図示せず）の形状がコアケース部５２の延出部保持部（図示せず）の形状に合致する向きでコアケース部５２に収納する。その後、コアケース部５２の巻き線部（図示せず）にコイル５３をほぼ均一の厚みとなるように巻回し、アンテナ構造体５が形成される。この工程をアンテナ形成工程という。コイル５３の端部（図示せず）は、回路基板９６のアンテナ接続電極（図示せず）に接続される。
【００９６】
文字板９０と回路基板９６とを対向配置し、文字板側ケース部９１と基板側ケース部９７とにより形成されたアンテナ収納スペース９９内に、回路基板９６と接続されたアンテナ構造体５を収納する。この工程をアンテナ収納工程という。これにより、アンテナ装置１１０が完成する。
【００９７】
以上のように、本実施形態によれば、文字板９０と一体に形成された文字板側ケース部９１と回路基板９６と一体に形成された基板側ケース部９７とにより形成されたアンテナ収納スペース９９内にアンテナ構造体５を収納することによりアンテナ装置１１０を構成しているので、アンテナ装置１１０を構成するケースを別途設ける必要がない。このため、部品点数を削減することができるとともに、部品の組み付け工程を簡易化することができる。また、このようにアンテナ装置１１０を構成する部品の数を少なくすることにより部品の管理が簡単になるとともに、部品の組み付けの際にも部品同士の位置決めを簡易かつ確実に行うことができる。これにより、生産効率を向上させ、安価な装置を実現することができる。
【００９８】
また、アンテナ装置１１０を収納するスペースが文字板９０と一体に形成された文字板側ケース部９１と回路基板９６と一体に形成された基板側ケース部９７とにより形成されているため、別途ケースを用いてアンテナ装置を構成する場合と比べて、部材の重なり合いを少なくすることができ、アンテナ装置１１０を設けるスペースを小さくすることができる。これにより、アンテナ装置１１０を搭載する電子機器の小型化、薄型化を実現することが可能となる。
【００９９】
なお、本実施形態においては、アンテナ構造体５は第１実施形態に示したものと同様に、複数の板状部材を積層してコア５１を備え、コア５１を収納するコアケース部５２を備える構成としたが、例えば、第２の実施形態に示したようにフェライト等により一体形成されたコアを備え、このコアに直接コイルを巻回して形成されたコアケースを備えないアンテナ構造体を用いる場合にも、本実施形態において示した構成を適用することができる。
【０１００】
また、本実施形態においては、アンテナ構造体５を収納するアンテナ収納スペース９９を形成する第２のアンテナケース部を文字板９０と一体に設けるように構成したが、第２のアンテナケース部は文字板９０に設けられている場合に限定されず、他の部材と一体に形成されている場合や、単体で設けられているものであってもよい。
【０１０１】
その他、本発明が上記実施の形態に限らず適宜変更可能であるのは、第１の実施形態から第３の実施形態と同様である。
【符号の説明】
【０１０２】
１、９０      文字板
２      時計ケース
３      モジュールハウジング
４、８０、９６      回路基板
５、６、７            アンテナ構造体
１０、６０、７０、１１０      アンテナ装置
３１      ケース収納スペース
３４      指針軸
３５      指針
４０      裏蓋
４１      受信回路部
４２      アンテナ接続電極
４３      アンテナケース部
４４      延出部収納部
４５      巻き線収納部
５１      コア
５２      コアケース部
５３      コイル
５５      直状部
５６      延出部
５７      巻き線部
５８      延出部保持部
９１      文字板側ケース部
９７      基板側ケース部
９９      アンテナ収納スペース
１００      腕時計（電子機器）
【図１】
0005392294.tif 000002
【図２】
0005392294.tif 000003
【図３】
0005392294.tif 000004
【図４】
0005392294.tif 000005
【図５】
0005392294.tif 000006
【図６】
0005392294.tif 000007
【図７】
0005392294.tif 000008
【図８】
0005392294.tif 000009
【図９】
0005392294.tif 000010
【図１０】
0005392294.tif 000011
【図１１】
0005392294.tif 000012